(57)【要約】【課題】  利用者に、メールアドレスとＩＣタグＩＤを登録する際の手入力の手間を解消させると共に、入力間違いを防止し、更に他人を騙った登録等の不正行為を防止し、管理者にメールアドレスとＩＣタグＩＤの両者の正しい情報を提供し、対応付けて適式に登録することができる情報登録システム等を提供する。【解決手段】  通信網を介して情報管理装置と情報の授受を可能に接続された情報端末装置を含む情報登録システムにおいて、情報端末装置は当該情報端末装置を特定するために用いられる宛先情報を情報管理装置に送信する宛先情報送信手段を有し、情報管理装置は、情報端末装置から宛先情報を受信する宛先情報受信手段と、情報端末装置を他の情報端末装置から識別するための記憶媒体に記憶された固有の識別情報を読み取る読取手段と、宛先情報受信手段により受信した宛先情報と、読取手段により読み取った識別情報とをそれぞれ対応付けて当該情報管理装置に備えた記憶手段に登録する登録手段とを有することを特徴とする。【選択図】  図１
2006221250.tif 000002
【特許請求の範囲】
【請求項１】
通信網を介して情報管理装置と情報の授受を可能に接続された情報端末装置を含む情報登録システムにおいて、
前記情報端末装置は、
当該情報端末装置を特定するために用いられる宛先情報を前記情報管理装置に送信する宛先情報送信手段、を有し、
前記情報管理装置は、
前記情報端末装置から前記宛先情報を受信する宛先情報受信手段と、
前記情報端末装置を他の情報端末装置から識別するための記憶媒体に記憶された固有の識別情報を読み取る読取手段と、
前記宛先情報受信手段により受信した前記宛先情報と、前記読取手段により読み取った前記識別情報とをそれぞれ対応付けて当該情報管理装置に備えた記憶手段に登録する登録手段と、
を有することを特徴とする情報登録システム。
【請求項２】
請求項１に記載の情報登録システムにおいて、
前記情報管理装置は、前記宛先情報受信手段によって受信した宛先情報を、前記読取手段によって読み取った識別情報と対応付けて表示する表示手段を有することを特徴とする情報登録システム。
【請求項３】
請求項１又は請求項２に記載の情報登録システムにおいて、
前記情報管理装置は、前記宛先情報を受信したときに前記情報端末装置に整理番号情報を送信する整理番号情報送信手段を有し、
前記情報端末装置は、
前記情報管理装置から送信された前記整理番号情報を受信する整理番号情報受信手段と、
当該受信した整理番号情報を記憶する整理番号情報記憶手段とを有することを特徴とする情報登録システム。
【請求項４】
請求項１乃至請求項３のいずれか一項に記載の情報登録システムにおいて、
前記情報端末装置は、携帯電話又は携帯情報端末であって、
前記記録媒体は、ＩＣタグ、ＩＣカード、バーコード、又は磁気カードを記録した記録物であって、
前記宛先情報は、携帯電話又は携帯情報端末のメールアドレスであることを特徴とする情報登録システム。
【請求項５】
通信網を介して情報管理装置と情報の授受を可能に接続された情報端末装置を含む情報登録システムにおける前記情報管理装置において、
前記情報端末装置から当該情報端末装置を特定するために用いられる宛先情報を受信する宛先情報受信手段と、
前記情報端末装置を他の情報端末装置から識別するための記憶媒体に記憶された固有の識別情報を読み取る読取手段と、
前記宛先情報受信手段により受信した前記宛先情報と、前記読取手段により読み取った前記識別情報とをそれぞれ対応付けて当該情報管理装置に備えた記憶手段に登録する登録手段と、
を有することを特徴とする情報管理装置。
【請求項６】
請求項５に記載の情報管理装置において、
前記宛先情報受信手段によって受信した宛先情報を、前記読取手段によって読み取った識別情報と対応付けて表示する表示手段を有することを特徴とする情報管理装置。
【請求項７】
請求項５又は請求項６に記載の情報管理装置において、
前記宛先情報を受信したときに前記情報端末装置に整理番号情報を送信する整理番号情報送信手段を有することを特徴とする情報管理装置。
【請求項８】
請求項５乃至請求項７のいずれか一項に記載の情報管理装置において、
前記情報端末装置は、携帯電話又は携帯情報端末であって、
前記記録媒体は、ＩＣタグ、ＩＣカード、バーコード、又は磁気カードを記録した記録物であって、
前記宛先情報は、前記携帯電話又は携帯情報端末のメールアドレスであることを特徴とする情報管理装置。
【請求項９】
通信網を介して情報管理装置と情報の授受を可能に接続された情報端末装置を含む情報登録システムにおける情報登録方法において、
前記情報端末装置が、当該情報端末装置を特定するために用いられる宛先情報を前記情報管理装置に送信する工程と、
前記情報管理装置が、前記情報端末装置から前記宛先情報を受信する宛先情報受信工程と、
前記情報管理装置が、前記情報端末装置を他の情報端末装置から識別するための記憶媒体に記憶された固有の識別情報を読み取る読取工程と、
前記情報管理装置が、前記宛先情報受信工程により受信した前記宛先情報と、前記読取工程により読み取った前記識別情報とをそれぞれ対応付けて当該情報管理装置に備えた記憶手段に登録する工程と、
を有することを特徴とする情報登録方法。
【請求項１０】
請求項９に記載の情報登録方法において、
前記情報管理装置が、前記宛先情報受信工程にて受信した宛先情報を、前記読取工程にて読み取った識別情報と対応付けて表示する工程を有することを特徴とする情報登録方法。
【請求項１１】
請求項９又は請求項１０に記載の情報登録方法において、
前記情報管理装置が、前記宛先情報を受信したときに前記情報端末装置に整理番号情報を送信する工程と、
前記情報端末装置が、前記情報管理装置から送信された前記整理番号情報を受信する工程と、
当該受信した整理番号情報を記憶する工程とを有することを特徴とする情報登録方法。
【請求項１２】
請求項９乃至請求項１１のいずれか一項に記載の情報登録方法において、
前記情報端末装置は、携帯電話又は携帯情報端末であって、
前記記録媒体は、ＩＣタグ、ＩＣカード、バーコード、又は磁気カードを記録した記録物であって、
前記宛先情報は、携帯電話又は携帯情報端末のメールアドレスであることを特徴とする情報登録方法。
【発明の詳細な説明】
【技術分野】
【０００１】
本発明は、各々の利用者に関する情報を登録する情報登録に関し、特に、各々の利用者が所有する携帯電話の宛先情報及び識別情報を登録する情報登録システム、情報管理装置及び情報登録方法に関する。
【背景技術】
【０００２】
近年、携帯電話の普及に伴い、商品やサービスの情報を電子メールにて配信するといった情報配信システムが普及している。特に最近では、商品やサービスの情報の中でも利用者が特に興味を持った情報を選別して配信する種々の工夫が成されている。
【０００３】
例えば、特許文献１には、この種の情報配信システムとして、情報提供者は、予め利用者にＩＣ（Integrated Circuit）タグを配布しておき、商品やサービスのポスター等の背後にＩＣタグに記録されたＩＤ（IDentifier）を読み取るリーダを設置するという構成が開示されている。このような構成によれば、利用者は興味を持った商品やサービスのポスター等に自己が所有するＩＣタグをかざすことにより、背後に設置されたリーダによってＩＣタグのＩＤが読み取られ、ポスター等に告知された広告の詳細な内容が利用者の携帯電話等にメールを通じて配信されるというような情報配信システムが採用されている。
【０００４】
ここで、この情報配信システムにより情報を提供するにあたり、情報提供者は予め利用者のＩＣタグに記憶されている任意のＩＣタグＩＤを、利用者の携帯電話等のメールアドレスと対応付けて会員情報として登録しておく必要があるが、その方法として、メールアドレスを自動取得する方法と、ＩＣタグＩＤを自動取得する方法が用いられている。まず、メールアドレスを自動取得する方法は、例えば、利用者が自己の携帯電話等のメールアドレスと自己が所有するＩＣタグＩＤの登録先である者（例えば、情報配信業者等である。以下、単に「管理者」と称する場合がある）の管理する管理装置に当該携帯電話等からメールを送信することにより、管理者にメールアドレスを通知し、メールアドレスを取得した管理者は、その後、利用者に対して登録用フォームのＵＲＬ（Uniform Resource Locator）が書かれたメールを返信する。そうすると、利用者は、取得した登録用フォームのＵＲＬにアクセスし、ＩＣタグＩＤを携帯電話の数字キー等を操作することにより入力して、自己が所有するＩＣタグＩＤを登録することができるため、管理者は管理装置に各利用者のメールアドレスとＩＣタグＩＤとを対応付けて管理することができる。
【０００５】
一方、ＩＣタグＩＤを自動取得する方法は、例えば、ＩＣタグＩＤを読み込む専用端末を用意して、その専用端末にＩＣタグＩＤを読み込ませ、ＩＣタグＩＤと対応付けて利用者や管理者が手動でメールアドレスを入力するという方法である。
【特許文献１】特開２００３−３０８２６７号公報
【発明の開示】
【発明が解決しようとする課題】
【０００６】
しかしながら、前者の方法を用いた場合、利用者の携帯電話等のメールアドレスは正しく取得できるが、ＩＣタグＩＤは利用者が手入力で携帯電話の数字キー等を操作して入力するため、ＩＣタグ本体など利用者が視認できるような箇所にＩＣタグＩＤが印字してあることが必要となり、例えばＩＣタグの紛失事故の発生によって、ＩＣタグＩＤが流出してしまうという問題があった。また、ＩＣタグＩＤは利用者が手入力で登録するためＩＣタグＩＤの入力間違いが発生しやすいという問題が生じていた。
【０００７】
更に、後者の方法を用いた場合、ＩＣタグＩＤは正しく取得することができるが、メールアドレスは利用者が手入力するため、やはり入力間違いが発生しやすくなったり、また、他人のアドレスを騙るなど容易に不正行為が行なわれてしまうという問題があった。更に、このようなメールアドレスの正当性の確認のため、管理者により入力されたメールアドレス宛てに確認メールを送るなどの手間が生じていた。
【０００８】
本発明は、このような問題に鑑みてなされたものであり、利用者に、メールアドレスとＩＣタグＩＤを登録する際の手入力の手間を解消させると共に、入力間違いを防止し、更に他人を騙った登録等の不正行為を防止し、管理者にメールアドレスとＩＣタグＩＤの両者の正しい情報を提供し、各々を対応付けて適式に登録することができる情報登録システム及び情報登録方法を提供することを目的する。
【課題を解決するための手段】
【０００９】
上記問題を解決すべく、請求項１に記載の発明は、通信網を介して情報管理装置と情報の授受を可能に接続された情報端末装置を含む情報登録システムにおいて、前記情報端末装置は、当該情報端末装置を特定するために用いられる宛先情報を前記情報管理装置に送信する宛先情報送信手段、を有し、前記情報管理装置は、前記情報端末装置から前記宛先情報を受信する宛先情報受信手段と、前記情報端末装置を他の情報端末装置から識別するための記憶媒体に記憶された固有の識別情報を読み取る読取手段と、前記宛先情報受信手段により受信した前記宛先情報と、前記読取手段により読み取った前記識別情報とをそれぞれ対応付けて当該情報管理装置に備えた記憶手段に登録する登録手段と、を有することを特徴とする。
【００１０】
これによれば、利用者に、宛先情報と識別情報を登録する際の手入力の手間を解消させると共に、入力間違いを防止し、更に他人を騙った登録等の不正行為を防止し、管理者に宛先情報と識別情報の両者の正しい情報を提供し、各々を対応付けて適式に登録することができる。
【００１１】
上記問題を解決すべく、請求項２に記載の発明は、請求項１に記載の情報登録システムにおいて、前記情報管理装置は、前記宛先情報受信手段によって受信した宛先情報を、前記読取手段によって読み取った識別情報と対応付けて表示する表示手段を有することを特徴とする。
【００１２】
これによれば、情報管理装置の表示部に宛先情報及び識別情報を表示することによって、利用者が自己の宛先情報等が情報管理装置に正しく取得されたか否かを視覚によって確認することができる。
【００１３】
上記問題を解決すべく、請求項３に記載の発明は、請求項１又は請求項２に記載の情報登録システムにおいて、前記情報管理装置は、前記宛先情報を受信したときに前記情報端末装置に整理番号情報を送信する整理番号情報送信手段を有し、前記情報端末装置は、前記情報管理装置から送信された前記整理番号情報を受信する整理番号情報受信手段と、当該受信した整理番号情報を記憶する整理番号情報記憶手段とを有することを特徴とする。
【００１４】
これによれば、複数の利用者が同時に空メールを送信した場合であっても、宛先情報と識別情報の対応付けを正確に行うことができる。
【００１５】
上記問題を解決すべく、請求項４に記載の発明は、請求項１乃至請求項３のいずれか一項に記載の情報登録システムにおいて、前記情報端末装置は、携帯電話又は携帯情報端末であって、前記記録媒体は、ＩＣタグ、ＩＣカード、バーコード、又は磁気カードを記録した記録物であって、前記宛先情報は、携帯電話又は携帯情報端末のメールアドレスであることを特徴とする。
【００１６】
これによれば、ＩＣタグに記憶されている識別情報を携帯電話等のメールアドレスと共に登録することができる。
【００１７】
上記問題を解決すべく、請求項５に記載の発明は、通信網を介して情報管理装置と情報の授受を可能に接続された情報端末装置を含む情報登録システムにおける前記情報管理装置において、前記情報端末装置から当該情報端末装置を特定するために用いられる宛先情報を受信する宛先情報受信手段と、前記情報端末装置を他の情報端末装置から識別するための記憶媒体に記憶された固有の識別情報を読み取る読取手段と、前記宛先情報受信手段により受信した前記宛先情報と、前記読取手段により読み取った前記識別情報とをそれぞれ対応付けて当該情報管理装置に備えた記憶手段に登録する登録手段と、を有することを特徴とする。
【００１８】
これによれば、利用者に、宛先情報と識別情報を登録する際の手入力の手間を解消させると共に、入力間違いを防止し、更に他人を騙った登録等の不正行為を防止し、管理者に宛先情報と識別情報の両者の正しい情報を提供し、各々を対応付けて適式に登録することができる。
【００１９】
上記問題を解決すべく、請求項６に記載の発明は、請求項５に記載の情報管理装置において、前記宛先情報受信手段によって受信した宛先情報を、前記読取手段によって読み取った識別情報と対応付けて表示する表示手段を有することを特徴とする情報管理装置。
【００２０】
これによれば、情報管理装置の表示部に宛先情報及び識別情報を表示することによって、利用者が自己の宛先情報等が情報管理装置に正しく取得されたか否かを視覚によって確認することができる。
【００２１】
上記問題を解決すべく、請求項７に記載の発明は、請求項５又は請求項６に記載の情報管理装置において、前記宛先情報を受信したときに前記情報端末装置に整理番号情報を送信する整理番号情報送信手段を有することを特徴とする。
【００２２】
これによれば、複数の利用者が同時に空メールを送信した場合であっても、宛先情報と識別情報の対応付けを正確に行うことができる。
【００２３】
上記問題を解決すべく、請求項８に記載の発明は、請求項５乃至請求項７のいずれか一項に記載の情報管理装置において、前記情報端末装置は、携帯電話又は携帯情報端末であって、前記記録媒体は、ＩＣタグ、ＩＣカード、バーコード、又は磁気カードを記録した記録物であって、前記宛先情報は、前記携帯電話又は携帯情報端末のメールアドレスであることを特徴とする。
【００２４】
これによれば、ＩＣタグに記憶されている識別情報を携帯電話等のメールアドレスと共に登録することができる。
【００２５】
上記問題を解決すべく、請求項９に記載の発明は、通信網を介して情報管理装置と情報の授受を可能に接続された情報端末装置を含む情報登録システムにおける情報登録方法において、前記情報端末装置が、当該情報端末装置を特定するために用いられる宛先情報を前記情報管理装置に送信する工程と、前記情報管理装置が、前記情報端末装置から前記宛先情報を受信する宛先情報受信工程と、前記情報管理装置が、前記情報端末装置を他の情報端末装置から識別するための記憶媒体に記憶された固有の識別情報を読み取る読取工程と、前記情報管理装置が、前記宛先情報受信工程により受信した前記宛先情報と、前記読取工程により読み取った前記識別情報とをそれぞれ対応付けて当該情報管理装置に備えた記憶手段に登録する工程と、を有することを特徴とする。
【００２６】
これによれば、利用者に、宛先情報と識別情報を登録する際の手入力の手間を解消させると共に、入力間違いを防止し、更に他人を騙った登録等の不正行為を防止し、管理者に宛先情報と識別情報の両者の正しい情報を提供し、各々を対応付けて適式に登録することができる。
【００２７】
上記問題を解決すべく、請求項１０に記載の発明は、請求項９に記載の情報登録方法において、前記情報管理装置が、前記宛先情報受信工程にて受信した宛先情報を、前記読取工程にて読み取った識別情報と対応付けて表示する工程を有することを特徴とする。
【００２８】
これによれば、情報管理装置の表示部に宛先情報及び識別情報を表示することによって、利用者が自己の宛先情報等が情報管理装置に正しく取得されたか否かを視覚によって確認することができる。
【００２９】
上記問題を解決すべく、請求項１１に記載の発明は、請求項９又は請求項１０に記載の情報登録方法において、前記情報管理装置が、前記宛先情報を受信したときに前記情報端末装置に整理番号情報を送信する工程と、前記情報端末装置が、前記情報管理装置から送信された前記整理番号情報を受信する工程と、当該受信した整理番号情報を記憶する工程とを有することを特徴とする。
【００３０】
これによれば、複数の利用者が同時に空メールを送信した場合であっても、宛先情報と識別情報の対応付けを正確に行うことができる。
【００３１】
上記問題を解決すべく、請求項１２に記載の発明は、請求項９乃至請求項１１のいずれか一項に記載の情報登録方法において、前記情報端末装置は、携帯電話又は携帯情報端末であって、前記記録媒体は、ＩＣタグ、ＩＣカード、バーコード、又は磁気カードを記録した記録物であって、前記宛先情報は、携帯電話又は携帯情報端末のメールアドレスであることを特徴とする。
【００３２】
これによれば、ＩＣタグに記憶されている識別情報を携帯電話等のメールアドレスと共に登録することができる。
【発明の効果】
【００３３】
本発明によれば、利用者に、メールアドレスとＩＣタグＩＤを登録する際の手入力の手間を解消させると共に、入力間違いを防止し、更に他人を騙った登録等の不正行為を防止し、管理者にメールアドレスとＩＣタグＩＤの両者の正しい情報を提供し、各々を対応付けて適式に登録することができる。
【発明を実施するための最良の形態】
【００３４】
以下、本発明の最良の実施形態を図面を用いて説明する。
【００３５】
ここで、利用者の宛先情報としてのメールアドレスと識別情報としてのＩＣタグＩＤを登録する場合には、メールアドレスを先に確定させる場合と、ＩＣタグＩＤを先に確定させる場合があるが、第１実施形態において、メールアドレスを先に確定させる場合について説明する。
【００３６】
（Ｉ）第１実施形態
［メールアドレスを先に確定させる場合］
本発明の第１実施形態について、図１乃至図５を用いて説明する。
【００３７】
図１は、本発明の情報登録システムを説明するための概略図であり、図２は、本発明の情報登録システムの概要構成を示すブロック図であり、図３は、本発明に用いるＩＣタグの平面図である。図４は、本発明の情報登録システムにおける登録処理を示すフローチャートであり、図５は、実施形態における登録画面を示す図である。
【００３８】
〔情報登録システム〕
まず、本実施形態に係る情報登録システムＳについて、図１を用いて概念的に説明する。
【００３９】
図１に示すように、当該情報登録システムＳは、情報端末装置としての携帯電話１、記憶媒体としてのＩＣ（Integrated Circuit）タグＴと、読取手段としてのリーダＲ、及び情報管理装置としての登録用端末装置２及び管理装置３とにより構成されている。そして、携帯電話１、登録用端末装置２、及び管理装置３はネットワークＸを介して互いに情報の授受が可能に接続されている。
【００４０】
なお、本実施形態では、登録用端末装置２と管理装置３とを本発明における情報管理装置として記載する。また、情報通信手段は携帯電話１である場合について以下説明するが、このような実施形態に限定されることはなく、メール機能を有する携帯端末装置や、パーソナルコンピュータ等の情報通信装置であってもよい。また、ここではＲＦＩＤ（Radio Frequency Identification）等から成るＩＣタグ（以下、ＩＣタグという。）は、携帯電話１と共に携帯されている場合について説明するが、このような実施形態に限定されることはなく、ＩＣタグがリーダＲにより、読み取り可能に携帯されていればよいものである。よって、例えば、携帯電話１とは独立して所有されていてもよい。
【００４１】
本実施形態における情報登録システムＳでは、まず、利用者は、利用者の所有する携帯電話１を特定するために用いられる宛先情報としてのメールアドレスと、利用者の所有する携帯電話１を他の携帯電話等から識別するための識別情報としてのＩＣタグＩＤと、を上記情報の登録先である管理者の管理する管理装置３に登録するために、管理装置３に空メールを送信する。そして、これを受信した管理装置３は、利用者の正しいメールアドレスを取得することができる。次に、管理装置３から登録用端末装置２に当該メールアドレスが送信されると、登録用端末装置２は取得したメールアドレスを表示部に表示する。
【００４２】
その後、利用者は、ＩＣタグＴを登録用端末装置２に備えられたリーダＲにかざし、ＩＣタグＩＤを登録用端末装置２に備えられたリーダＲに読み取らせる。なお、登録用端末装置２は、利用者の利用しやすい場所に登録受付カウンター等を設けて複数台設置されている場合がある。
【００４３】
そして、登録用端末装置２により、リーダＲが読み取ったＩＣタグＩＤを、メールアドレスが表示されている登録用端末装置２の表示部に表示する。利用者が登録用端末装置２に表示されているメールアドレスとＩＣタグＩＤを確認した後、所定の登録ボタンを選択すると、当該登録用登録用端末装置２から利用者のメールアドレスとＩＣタグＩＤが管理装置３に通知され、管理装置３が利用者の正しいメールアドレスとＩＣタグＩＤを取得し登録することになる。
【００４４】
次に、本発明の情報登録システムＳを構成する各部の構成及び機能について具体的に詳述する。
【００４５】
〔携帯電話の構成及び機能〕
まず、携帯電話１の構成及び機能について、図２を用いて説明する。
【００４６】
図２は、本発明の情報登録システムの概要構成を示すブロック図である。
【００４７】
図２に示すように、実施形態に係る携帯電話１は、入力部１１と、表示手段としての表示部１２と、記憶部１３と、上記ネットワークＸに接続して管理装置３との間で各種情報の授受を行うための宛先情報送信手段としての通信部１４と、制御部１５と、を備えて構成されており、各部材はバスを介して相互に接続されている。
【００４８】
入力部１１は、携帯電話１に具備された数字キー等の各種操作キー等であって、利用者が管理装置３にメールを送信する際に宛先を入力したり、本文を入力したりする場合等に用いられ、当該操作に対応する入力情報Ｓopを生成して制御部１５へ出力する。
【００４９】
表示部１２は、管理装置３にメールを送信する際、また、管理装置３よりメールを受信する際に通信部１４から制御部１５を介して表示情報Ｓdpとして受け取り、表示部１２に表示する。
【００５０】
記憶部１３は、携帯電話１の表示部１２に表示すべき情報等を記憶し、必要に応じて記憶情報Ｓmとして制御部1５に出力すると共に、入力部１１における操作等により当該表示すべき情報が入力／更新されると、制御部１５を介して記憶情報Ｓmとして受け取り、記憶する。ここでは、利用者のメールアドレスも記憶されている。
【００５１】
通信部１４は、ネットワークＸを介して管理装置３から例えば、確認用メール（詳しくは後述する）等の必要な通信情報Ｓrを取得し制御部１５に出力したり、管理装置３に例えば、空メール（詳しくは後述する）等の必要な通信情報Ｓrを送信するために制御部１５に出力するものである。制御部１５は、上記通信情報Ｓr、入力情報Ｓop、及び記憶情報Ｓmを用いて、表示部１２に表示させるべき表示情報Ｓdpを生成し、表示部１２に出力して必要な表示を実行させたり、上記通信情報Ｓrを生成し、通信部１４を介して登録用端末装置２や、管理装置３に対して通信を行う。
【００５２】
ここで、図３を参照してＩＣタグＴの構成及び機能について説明する。
【００５３】
図３は、本発明に用いるＩＣタグの平面図である。同図に示すように、本発明に用いるＩＣタグＴは、データを記憶するＩＣ部１７と、ＩＣ部１７に記憶されたデータを送出するアンテナ部１８と、により構成されている。具体的に説明すると、ＩＣ部１７は、ＩＣタグＴの各々を一意に識別する（固有の）ＩＤ（以下、単に「ＩＣタグＩＤ」と称する場合がある）を記憶する部分である。ここで、このＩＣタグＩＤは、各ＩＣタグを一意に識別することができるものであればよく、例えば、工場出荷時に予め割り振られる製造番号等を固有のＩＣタグＩＤとしてを利用することも可能である。また、ＩＣタグ毎に固有のＩＤを書き込んで利用することも可能である。アンテナ部１８は、ＩＣタグＩＤを無線電波を介してリーダＲに送信するものである。このように、ＩＣタグＴは、無電池のため応用事例にあわせた柔軟な加工や小型化・薄型化が可能であり、シール状に加工したＩＣタグＴを携帯電話１などの携帯物の表面や内面に貼り付けたり、ストラップなどの形状に加工したＩＣタグＴを携帯電話１などの携帯物に付属させることも可能である。
【００５４】
〔登録用端末装置２の構成及び機能〕
次に、登録用端末装置２の構成及び動作について、図２を用いて説明する。
【００５５】
図２に示すように、実施形態に係る登録用端末装置２は、読取手段としてのリーダＲを含んで構成され、さらに、入力部２１と、表示手段としての表示部２２と、記憶部２３と、上記ネットワークＸに接続して管理装置３との間で必要な情報の授受を行うための通信部２４及び制御部２５により構成されており、各部材はバスを介して相互に接続されている。
【００５６】
リーダＲは、上述したＩＣタグＴが当該リーダＲにかざされると、当該ＩＣタグＴが備えるＩＣ部１７に記憶されたＩＣタグＩＤを読み取り、読み取られたＩＣタグＩＤを読み取り情報Ｓlとして制御部２５に出力する。
【００５７】
入力部２１は、利用者や登録オペレータ等により操作される図示しないキーボード等の各種操作キー等であって、当該操作に対応する入力情報Ｓopを生成して制御部２５へ出力する。
【００５８】
表示部２２は、後述するように、利用者のメールアドレスとＩＣタグＩＤとを対応付けて表示し、表示されたメールアドレス等が正しいか否かを確認するために用いられる。このメールアドレスは、管理装置３から通信部２４を介して受信し、制御部２５を介して表示情報Ｓdpとして受け取り、表示部２２に表示されるよう構成されている。他方ＩＣタグＩＤは、リーダＲにより読み取られ、ＩＣタグＩＤの読み取り情報Ｓlから制御部２５を介して表示情報Ｓdpとして受け取り、表示部２２に表示されるよう構成されている。
【００５９】
記憶部２３は、登録用端末装置２上の表示部２２に表示すべき情報等を記憶し、必要に応じて記憶情報Ｓmとして制御部２５に出力すると共に、入力部２１における操作等により当該表示すべき情報が入力／更新されると、制御部２５を介して記憶情報Ｓmとして受け取り、記憶する。
【００６０】
通信部２４は、ネットワークＸを介して管理装置３からメールアドレス等の必要な通信情報Ｓrを取得し制御部２５に出力したり、管理装置３にメールアドレス等の必要な通信情報Ｓr送信するために制御部２５に出力するものである。
【００６１】
制御部２５は、上記通信情報Ｓr、入力情報Ｓop、及び記憶情報Ｓmを用いて、表示部２２に表示させるべき表示情報Ｓdpを生成し、表示部２２に出力して必要な表示を実行させたり、上記通信情報Ｓｒを生成し、通信部２４を介して管理装置３に対して通信を行う。
【００６２】
〔管理装置３の構成及び機能〕
次に、管理装置３の構成及び動作について、図２を用いて説明する。
【００６３】
図２に示すように、実施形態に係る管理装置３は、入力部３１と、表示部３２と、記憶手段としての記憶部３３と、上記ネットワークＸに接続して管理装置３との間で必要な情報の授受を行うための宛先情報受信手段としての通信部３４及び制御部３５により構成されており、各部材はバスを介して相互に接続されている。
【００６４】
入力部３１は、図示しないキーボード等で構成され、後に詳述する情報登録システムの登録処理の動作を開始する際や、各種メンテナンスを実行する際に管理者によって操作されるものである。そして当該操作に対応する入力情報Ｓopを生成して制御部３５へ出力する。
【００６５】
表示部３２は、携帯電話１や、登録用端末装置２にメールを送信する際、また、携帯電話１や、登録用端末装置２によりメールを受信する際等の作業内容は、制御部３５を介して表示情報Ｓdpとして受け取り、表示部３２に表示する。
【００６６】
記憶部３３は、管理装置３上の表示部３２に表示すべき情報等を蓄積記憶し、必要に応じて記憶情報Ｓmとして制御部３５に出力すると共に、入力部３１における操作により当該表示すべき情報が入力／更新されると、その更新された情報を制御部３５を介して記憶情報Ｓmとして受け取り、指定されたアドレスに蓄積記憶する。また、処理されたログ等も記憶される。ここでは、利用者のメールアドレスも記憶されている。
【００６７】
通信部３４は、ネットワークＸを介して携帯電話１や、登録用端末装置２から空メール等の必要な通信情報Ｓrを取得し制御部３５に出力したり、携帯電話１や、登録用端末装置２に確認用メール等の必要な通信情報Ｓｒを送信するために制御部３５に出力するものである。
【００６８】
制御部３５は、上記通信情報Ｓr、入力情報Ｓop、及び記憶情報Ｓmを用いて、表示部３２に表示させるべき表示情報Ｓdpを生成し、表示部３２に出力して必要な表示を実行させたり、上記通信情報Ｓｒを生成し、通信部３４を介して携帯電話４や、登録用端末装置２に対して通信を行う。
【００６９】
［登録処理］
次に、図４のフローチャートを用いて、情報登録システムＳにおける登録処理について説明する。
【００７０】
図４は、情報登録システムにおける登録処理を示すフローチャートである。図４（Ａ）に示すフローチャートは、携帯電話１の制御部１５により実行され、図４（Ｂ）に示すフローチャートは、管理装置３の制御部３５により実行され、図４（Ｃ）に示すフローチャートは、登録用端末装置２の制御部２５により実行される。
ここで、情報登録システムＳが動作する前提として、情報配信業者等のＩＣタグＩＤの管理者は、利用者に対してＩＣタグＴを予め発行し、利用者に配布しておく必要がある。利用者は、そのＩＣタグＴを取得し、リーダＲが読み取り可能な状態で携帯しておく必要がある。なお、登録用端末装置２によりＩＣタグＩＤを読み取るときまでに利用者がＩＣタグを取得していればよいため、利用者に予めＩＣタグＴを配布できない場合には、登録用端末装置２に登録するための登録受付カウンター等を設けて当該登録受付カウンターの登録オペレータによってＩＣタグＴを利用者に登録の前に配布することができればよい。まず、図４を参照して携帯電話１の制御部１５における処理を説明する。
【００７１】
まず、携帯電話１は、管理装置３に空メールを送信する（ステップＳ１１）。なお、この「空メール」とは、メールの送信先に送信元の正しいメールアドレスを取得させるために用いられるメールをいい、例えば、通常メールに記載すべきタイトルや本文には何も記載されていない、いわば白紙のメールを言う。そして管理装置３はこの空メールを受信することにより、メールの送信元である利用者の携帯電話１のメールアドレスを取得することができる。
【００７２】
次に、図４（Ｂ）のフローチャートに移行し、管理装置３は、携帯電話１により送信された空メールを受信する（ステップＳ２１）。これにより、利用者の携帯電話１の正確なメールアドレスを取得することができる。ここで、管理装置３は、取得した利用者の携帯電話１のメールアドレスを記憶部３３に一時的に記憶（登録）する（ステップＳ２２）。
【００７３】
そして、メールアドレスに対応する仮登録用のＩＤ（以下、単に「仮登録ＩＤ」と称する場合がある）を生成する（ステップＳ２３）。ここで、仮登録ＩＤは、後述する第２実施形態に用いる仮登録ＩＤとは異なり、利用者がメール本文に仮登録ＩＤを入力する機会はなく、かつ、この仮登録ＩＤは、登録用端末装置２で内部的にしか利用しない（表示しない）ため、できるだけ判別しにくく、複雑な英数字（１６ビット、３２ビット）等で構成することが好ましい。なお、この段階で仮登録ＩＤを生成させる手法に限定されるものではなく、後に詳述するように、別のタイミングで仮登録ＩＤを生成するよう構成してもよい。
【００７４】
次に、管理装置３は、登録用端末装置２に携帯電話１のメールアドレスもしくはメールアドレスと先程生成した仮登録ＩＤ（以下、単に「メールアドレス等」と称する場合がある）を送信する（ステップＳ２４）と、図４（Ｃ）のフローチャートに移行し登録用端末装置２は、管理装置３により送信された当該メールアドレス等を受信する（ステップＳ３１）。ここで、登録用端末装置２にてメールアドレス等を受信する手法として、端末装置にＨＴＴＰ（Hyper Text Transfer Protocol）サーバ等を設け、ＣＧＩ（Common Gateway Interface）で送る方法や、ＰＯＰ（Point Of Production）機能を含むアプリケーションを動作させ、メールを受信する方法等による手法が挙げられる。
【００７５】
次に、登録用端末装置２は、取得したメールアドレス等を表示部２２に表示する（ステップＳ３２）。表示部２２にメールアドレス等を表示することによって、利用者が自己のメールアドレスが管理装置３を経由して登録用端末装置２に正しく取得されたか否かを確認することができる。
【００７６】
利用者が自己の携帯電話１のメールアドレス等が正しく表示部２２に表示されていること（すなわち、正しく登録用端末装置２に取得されていること）を確認した後、利用者（利用者の代わりにオペレータであってもよい）により、携帯電話１と共に携帯されているＩＣタグＴが、登録用端末装置２に備えられたリーダＲにかざされると、ＩＣタグＩＤがリーダＲに読み取られる（ステップＳ３３）。
【００７７】
その後、登録用端末装置２は、リーダＲが読み取ったＩＣタグＩＤを、メールアドレス等が表示されている登録用端末装置２の表示部２２に表示する（ステップＳ３４）。具体的には、登録用端末装置２の表示部２２は、メールアドレスとＩＣタグＩＤを図５に示すような形式で表示する。
【００７８】
ここで、登録用端末装置２では、利用者がＩＣタグＩＤを読み込ませる可能性がある日中等の時間帯には、そのＩＣタグＩＤを読み込み、その後、ＩＣタグＩＤを表示部２２に表示させるアプリケーションを動作させておく必要がある。
【００７９】
次に、利用者が、登録用端末装置２の表示部２２に利用者の自己のメールアドレスとＩＣタグＩＤが共に正しく表示された（取得された）ことを確認した後、利用者が図５に示すような形式で表示部２２に表示されている登録ボタンを押すと、登録用端末装置２は、利用者のメールアドレスとＩＣタグＩＤを管理装置３に送信する（ステップＳ３５）。ここでメールアドレスと対応付けられた仮登録ＩＤが、当該メールアドレスと共に送信されている時は、仮登録ＩＤとＩＣタグＩＤを通知することとし、現時点で仮登録用ＩＤが送信されていない時は、メールアドレスとＩＣタグＩＤを管理装置３に送信する。
【００８０】
そして、図４（Ｂ）のフローチャートに移行し、管理装置３が、登録用端末装置２により送信されたメールアドレスとＩＣタグＩＤを受信すると（ステップＳ２５）、ＩＣタグＩＤと仮登録ＩＤもしくはメールアドレスを記憶部３３に一時登録し（ステップＳ２６）、利用者の携帯電話１に登録処理を完了させるための確認用メールを携帯電話１に送信する（ステップＳ２７）。確認用メールには、仮登録ＩＤをパラメータとしてつける。以前に仮登録ＩＤが生成されている場合にはその仮登録ＩＤを用い、現段階でまだ生成されていない場合には、この段階で生成する。
【００８１】
次に、図４（Ａ）のフローチャートに移行し、携帯電話１は、管理装置３により送信された確認用メールを受信する（ステップＳ１２）。そして、携帯電話１の表示部１２に受信した確認用メールを表示させて、利用者が自己の携帯電話１のメールアドレスと、ＩＣタグＩＤが正しく管理装置３に取得され、登録されたことを確認した場合には、利用者は入力部１１を操作して確認用メールに表記されているＵＲＬ部をクリックする（ステップＳ１３）。
【００８２】
そして、図４（Ｂ）のフローチャートに移行し、利用者によりＵＲＬ部がクリックされると、利用者が確認用メールを確認し、自己のメールアドレスとＩＣタグＩＤが正しく管理装置３に取得され、登録されたことを確認したとの意思確認が管理装置３に対してなされることになり（ステップＳ２８）、登録完了処理が行われる（ステップＳ２９）。この登録完了処理では、メールが利用者に正しく届き、利用者により登録の意図の最終確認が取れたという表示が管理装置３の表示部２２にされるように成っている。その後、携帯電話１に対して登録完了を告げる「登録完了画面」をＷｅｂで表示する（ステップＳ３０）。
【００８３】
そして、図４（Ｃ）のフローチャートに移行し、携帯電話１にＷｅｂ表示が確認されると（ステップＳ１４）、携帯電話１の表示部１２に「登録完了画面」が表示がされることになる（ステップＳ１５）。このようにして、管理装置３に利用者の正しいメールアドレスとＩＣタグＩＤが所得され、登録されることとなる。
【００８４】
以上説明したように、第１実施形態に示した構成を取ることによって、メールアドレスとＩＣタグＩＤが手入力を介さずに登録できる構成になっているので、利用者に、メールアドレスとＩＣタグＩＤを登録する際の手入力の手間を解消させることができると共に、入力間違いを防止し、更に他人を騙った登録等の不正行為を防止することができる。
【００８５】
更に、メールアドレスとＩＣタグＩＤを登録用端末装置の表示部に表示し、利用者が自己のメールアドレスとＩＣタグＩＤであることを視覚によって確認した後に、管理装置に通知される構成を取ることによって、正確なメールアドレスとＩＣタグＩＤを各々対応付けて登録することができる。
【００８６】
なお、本実施形態において、記憶媒体としてＩＣタグを用いたが、これに限られず、固有の識別情報をリーダで読み取り可能に記憶可能な記憶媒体であれば、ＩＣカードや２次元バーコード等の各種バーコード、磁気カードを記録した記録物であってもよい。特に、ＩＣカードは、会員証、定期券、クレジットカードなどへの採用が進んでおり、携帯性および取り扱いの容易さにおいて、記憶媒体として好適である。
【００８７】
（II）第２実施形態
［ＩＣタグＩＤを先に確定させる場合］
続いて、利用者のメールアドレスとＩＣタグＩＤを登録する場合として、第２実施形態において、仮登録ＩＤを有効に利用してＩＣタグＩＤを先に確定させる場合について説明する。
【００８８】
本発明の第２実施形態について、図１、図６及び図７を用いて説明する。図１は、本発明の情報登録システムを説明するための概略図であり、図６は、本発明の情報登録システムにおける登録処理を示すフローチャートであり、図７は、実施形態における登録方法を示す図である。
【００８９】
〔情報登録システム〕
まず、本実施形態に係る情報登録システムＳについて、第１実施形態と同様に図１を用いて概念的に説明する。
【００９０】
図１に示すように、当該情報登録システムＳは、情報端末装置としての携帯電話１、記憶媒体としてのＩＣ（Integrated Circuit）タグＴと、読取手段としてのリーダＲ、及び情報管理装置としての登録用端末装置２及び管理装置３とにより構成されている。そして、携帯電話１、登録用端末装置２、及び管理装置３はネットワークＸを介して互いに情報の授受が可能に接続されている。
【００９１】
本実施形態における情報登録システムＳでは、まず、利用者が登録用端末装置２にＩＣタグＴを登録用端末装置２に備えられたリーダＲにかざし、ＩＣタグＩＤをリーダＲに読み取らせる。登録用端末装置２は、リーダＲにより読み取ったＩＣタグＩＤを管理装置３に送信する。次に、管理装置３は、登録用端末装置２により送信されたＩＣタグＩＤを受信する。その後、管理装置３は、ＩＣタグＩＤと、仮登録ＩＤの両者を管理装置３の記憶部３３に一時的に登録し、生成した仮登録ＩＤを登録用端末装置２に送信する。そして、登録用端末装置２は、管理装置３により送信された仮登録ＩＤを受信し、受信した仮登録ＩＤと管理装置３のアドレスを登録用端末装置２の表示部２２に表示する。利用者は表示部２２の表示に従って、携帯電話１の入力部１１を操作して仮登録ＩＤをメールの本文の部分に記載し、携帯電話１から管理装置３にメールを送信する。そして当該メールを受信した管理装置３は本文に記載されている仮登録ＩＤと送信元のメールアドレスである携帯電話１のメールアドレスを登録することになる。
【００９２】
本発明の情報登録システムＳを構成する各々の構成部分及びその動作については、第１実施形態とほぼ同様であるため説明は省略する。
【００９３】
［登録処理］
次に、図６のフローチャートを用いて、情報登録システムＳにおける登録処理について説明する。
【００９４】
ここで、図６は、第２実施形態における情報登録システムにおける登録処理を示すフローチャートである。図６（Ａ）に示すフローチャートは、登録用端末装置２の制御部２５により実行され、図６（Ｂ）に示すフローチャートは、管理装置３の制御部３５により実行され、図６（Ｃ）に示すフローチャートは、携帯電話１の制御部１５により実行される。
【００９５】
まず、利用者（利用者の代わりにオペレータであってもよい）により、携帯電話１と共に携帯されているＩＣタグＴが、登録用端末装置２に備えられたリーダＲにかざされると、ＩＣタグＩＤがリーダＲに読み取られる（ステップＳ４１）。登録用端末装置２は、リーダＲにより読み取ったＩＣタグＩＤを管理装置３に送信する（ステップＳ４２）。
【００９６】
次に、図６（Ｂ）のフローチャートに移行し、管理装置３は、登録用端末装置２により送信されたＩＣタグＩＤを受信する（ステップＳ５１）。ここで、ＩＣタグＩＤに対応する仮登録ＩＤを生成してもよい（ステップＳ５２）。その後、管理装置３は、ＩＣタグＩＤと、仮登録ＩＤの両者を記憶部３３に一時的に記憶（登録）し（ステップＳ５３）、生成した仮登録ＩＤを登録用端末装置２に送信する（ステップＳ５４）。ここで、仮登録ＩＤは、利用者がメール本文に入力しやすいような簡単な数字等で構成することが好ましい。また、この仮登録ＩＤは、ＩＣタグＩＤと同じ文字や数字で構成してもよいが、セキュリティ上できるだけ利用者にＩＣタグＩＤを見せないことが好ましいため、ＩＣタグＩＤとは異なる数字等で構成する方が好ましい。また、仮登録ＩＤに特定のチェックディジット（検査数字）をかけて偽造の防止等を行ってもよい。
【００９７】
次に、図６（Ａ）のフローチャートに移行し、登録用端末装置２は、管理装置３により送信された仮登録ＩＤを受信し（ステップＳ４３）、受信した仮登録ＩＤと管理装置３のアドレスを登録用端末装置２の表示部２２に表示する（ステップＳ４４）。具体的には、登録用端末装置２の表示部２２には図７に示すような形式で仮登録ＩＤと管理装置のアドレス「reg1@a.bcd.co.jp」が表示されている。
【００９８】
そして、これを見て確認した利用者は携帯電話１を用いて（図６（Ｃ）のフローチャートに移行）、登録用端末装置２の表示部２２の表示に従って、仮登録ＩＤを携帯電話１のメールの本文の部分に記載し、管理装置３のアドレスを宛先にしてメールを送信する（ステップＳ６１）。
【００９９】
続いて、図６（Ｂ）のフローチャートに移行し、管理装置３で本文に仮登録ＩＤが記載されたメールを受信すると（ステップＳ５５）、仮登録ＩＤとメールアドレスを対応付けて一時的に記憶（登録）し（ステップＳ５６）、利用者の携帯電話１に登録処理を完了させるための確認用メールを送信する（ステップＳ５７）。確認用メールには、仮登録ＩＤをパラメータとして取り付けておく。なおここで、仮登録ＩＤに対応する別の仮登録ＩＤをパラメータとしてもよい。
【０１００】
次に、図６（Ｃ）のフローチャートに移行し、携帯電話１は、管理装置３により送信された確認用メールを受信する（ステップＳ６２）。利用者が確認用メールを確認し、自己のメールアドレスとＩＣタグＩＤが正しく管理装置３に取得され、登録されたことを確認した場合には、確認用メールに表記されているＵＲＬ部をクリックする（ステップＳ６３）。
【０１０１】
このように利用者により、ＵＲＬ部がクリックされると、利用者が確認用メールを確認し、自己のメールアドレスとＩＣタグＩＤが正しく管理装置３に取得され、登録されたことを確認したとの意思確認が管理装置３になされることになり（図６（Ｂ）：ステップＳ５８）、登録完了処理が行われる（ステップＳ５９）。この登録完了処理では、メールが利用者に正しく届き、利用者により登録の意図の最終確認が取れたという表示がされる。その後、携帯電話１に対して登録完了を告げる「登録完了画面」をＷｅｂで表示する（ステップＳ６０）。
【０１０２】
そして、図６（Ｃ）のフローチャートに移行し、携帯電話１にＷｅｂ表示が確認されると（ステップＳ６４）、携帯電話１の表示部１２に「登録完了画面」が表示されることになる（ステップＳ６５）。このようにして、管理装置３に利用者の正しいメールアドレスとＩＣタグＩＤが取得され、登録されることとなる。
【０１０３】
以上説明したように、第２実施形態に示した構成を取ることによって、第１実施形態に示した場合と同様に、メールアドレスとＩＣタグＩＤが手入力を介さずに登録できる構成になっているので、利用者に、メールアドレスとＩＣタグＩＤを登録する際の手入力の手間を解消させることができると共に、入力間違いを防止し、更に他人を騙った登録等の不正行為を防止することができる。
【０１０４】
更に、メールアドレスとＩＣタグＩＤを端末装置の表示部に表示し、利用者が自己のメールアドレスとＩＣタグＩＤであることを視覚によって確認した後に、管理装置に通知される構成を取ることによって、正確なメールアドレスとＩＣタグＩＤを各々対応付けて登録することができる。
【０１０５】
なお、管理装置３に利用者のメールアドレスとＩＣタグＩＤを登録する方法について実施形態について説明したが、以下にこれらの情報登録システムＳを用いた変形形態について説明する。
【０１０６】
（III）変形形態
（１）第１実施形態についての変形形態
［１−１．携帯電話を介して仮登録ＩＤ取得］
第１実施形態において、管理装置３から登録用端末装置２にメールアドレス等を送信すること（図４（Ｂ）のステップＳ２４）によって、登録用端末装置２が利用者のメールアドレスを取得する（図４（Ｃ）のステップＳ３１）場合について示したが、仮登録ＩＤを管理装置３から登録用端末装置２が直接受け取るのではなく、一度携帯電話１を介して行う方法が考えられる。
【０１０７】
例えば、携帯電話１により送信された空メールの返信を利用者のメールアドレスや、仮登録ＩＤを含むバーコードにし、携帯電話１に表示されたバーコードを登録用端末装置２に設置されたバーコードリーダで読み取らせる。一度携帯電話１で空メールの返信を受け取らせ、その内容をバーコードリーダにより登録用端末装置２で読み取らせることにより、登録用端末装置２において他人のメールアドレスを登録してしまう可能性が低減される。以下の動作は第１実施形態と同様である。
【０１０８】
［１−２．既に管理装置が携帯電話のメールアドレス等を所有している場合］
利用者が現に、管理者の提供するサービスの会員等である場合には、既に携帯電話１のメールアドレス等を管理者が所有している場合がある。その際、既存のメンバーカード等に加えてＩＣタグやモバイルFeliCa（登録商標：ＦＥＬＩＣＡ）等を用いてサービスを行う場合、既存の会員ＩＤと、ＩＣタグＩＤとの対応をとることにより、管理装置３に携帯電話１から改めて空メールを送信してもらわなくても、正しいメールアドレスが取得できる。この際、既存の会員カードとＩＣタグＩＤを読み込むことが出来る登録用端末装置２を用意することにより、以下上述した場合と同様にメールアドレスとＩＣタグＩＤを対応付けて登録を行うことができる。
【０１０９】
［１−３．ハッシュ値を付けてメールを送信する場合］
図４（Ｃ）のステップＳ３５において、登録用端末装置２から管理装置３にＩＣタグＩＤ等を送信する際、ＩＣタグＩＤに加えて一方向のハッシュ値をつけて送信すると、管理装置３でハッシュ値をチェックして正当な端末からのアクセスであることを判断することができる。このようなチェックを組み合わせることにより、不正な端末からの騙り登録を防止することができる。
【０１１０】
［１−４．整理番号を発行する場合］
この場合には、管理装置３の通信部３４を整理番号情報送信手段として機能させると共に、携帯電話１の通信部１４を整理番号情報受信手段として機能させ、記憶部１３を整理番号情報記憶手段として機能させる。
【０１１１】
図４（Ｂ）のステップＳ２１において、管理装置３が利用者の携帯電話１から空メールを受信した際、整理番号情報としての整理券番号を発行させ、その整理券番号を図４（Ｂ）のステップＳ２４において管理装置３から登録用端末装置２に送信すると共に、利用者の携帯電話１にも送信することにより、オペレータや利用者の問い合わせ用番号として利用させることができる。
【０１１２】
これは、利用者が空メールを管理装置３に送信し、その後、管理装置３が登録用端末装置２にメールアドレスを送信すると、登録用端末装置２の表示部２２に利用者のメールアドレスが表示されることになるが、表示部２２にメールアドレスが表示された直後に必ずしも利用者によってＩＣタグＩＤがリーダＲにより読み取られてメールアドレスとＩＣタグＩＤが対応付けられるとは限らない。例えば、同時に何人かの利用者によってメールアドレスを含んだ空メールが管理装置３に送信され、利用者の各々のメールアドレスが登録用端末装置２の表示部２２に同時に表示された場合には、表示されたどのメールアドレスがどの利用者のものであるかが確定できず、利用者のメールアドレスとリーダＲにより読み取られたＩＣタグＩＤとの対応が正しく行われない場合が生じてしまう。
【０１１３】
よって、メールアドレスを登録用端末装置２の表示部２２に表示させる場合に整理券番号を発行し、図８のように表示することによって、利用者が同時に空メールを送信した場合であっても、メールアドレスとＩＣタグＩＤの対応付けが正確になされることになる。
【０１１４】
更に、オペレータがＩＣタグＩＤをリーダＲに読み取らせた後に、メールアドレスを送信した利用者にＩＣタグＴを渡す場合には、整理券番号が発行されていることによって、そのメールアドレスに対応するＩＣタグＴを正しい利用者に間違いなく手渡すことができる。
【０１１５】
［１−５．携帯電話にリーダが接続されている場合］
第１実施形態で、ＩＣタグＩＤもしくはメールアドレスに対応する仮登録のＩＤを生成して登録を行っているが、携帯電話１に直接リーダＲを接続させることにより、仮登録ＩＤの生成を行う必要がなくなる。
【０１１６】
ここで、仮登録ＩＤは、セキュリティ上できるだけ利用者に直接ＩＣタグＩＤを見せずに利用者と管理装置３、登録用端末装置２等のやり取りを行うために用いられるために必要なものであるが、携帯電話１に直接リーダＲを接続させることにより、ＩＣタグＩＤを直接やり取りの中で用いることが減少するため、仮登録ＩＤの生成が不要とすることができる。
【０１１７】
（２）第２実施形態についての変形形態
［バーコード入力の場合］
図６ステップＳ４４において、利用者は、登録用端末装置２の表示部２２の表示に従って、携帯電話１を用いて、仮登録ＩＤをメールの本文の部分に記載し、管理装置３のアドレスを宛先にして管理装置３にメールを送信する場合を示したが、登録用端末装置２の表示部２２を見ながら携帯電話１によって手動でメールアドレスや、仮登録ＩＤを入力することは利用者にとっても手間がかかり、不便であると考えられる。よって、利用者が携帯電話１でメールを生成しやすいように、図９に示したように、表示部２２に表示されている内容を簡易プリンタ等によって出力するようにしても良い。また、利用者がメールを生成しやすいよう、仮登録ＩＤと宛先を含んだメール生成用バーコードを、表示部２２に表示する方法も考えられる。
【０１１８】
これらの方法により、携帯電話１によって、登録用端末装置２の表示部２２に表示されているバーコードを読み取らせることによって、手動によりアドレスや、仮登録ＩＤを入力する等の手間を省くことができる。以下の動作は第２実施形態と同様である。
【０１１９】
（３）その他の実施形態
［モバイルFeliCaの場合］
次に、図１０を用いて、その他の実施形態である情報登録システムにおける登録処理について説明する。
【０１２０】
図１０は、本発明の情報登録システムにおける登録処理を示すフローチャートである。図１０（Ａ）に示すフローチャートは、モバイルFeliCaを利用した携帯電話１の制御部１５により実行され、図１０（Ｂ）に示すフローチャートは、管理装置３の制御部３５により実行される。
【０１２１】
まず、携帯電話１は、管理装置３に空メールを送信する（ステップＳ７１）。ここで、登録用のアドレスはアプリケーションに対応して割り当てられているものとする。
【０１２２】
次に図１０（Ｂ）のフローチャートに移行し、管理装置３は、携帯電話１により送信された空メールを受信することにより（ステップＳ９１）、利用者の携帯電話１の正しいメールアドレスを取得することができる。ここで、取得した利用者のメールアドレスを記憶部３３に一時的に登録する（ステップＳ９２）。この際、メールアドレスに対応する仮登録用ＩＤを生成させる（ステップＳ９３）。次に、管理装置３は、携帯電話１に仮登録ＩＤを含むアプリケーションダウンロード用ＵＲＬを含むメールを送信する（図１５、ステップＳ９４）。
【０１２３】
そして、図１０（Ａ）のフローチャートに移行し、利用者によって携帯電話１の表示部１２に表示された管理装置３から送信されたメールのダウンロード用ＵＲＬがクリックされる（ステップＳ７２）と、図１０（Ｂ）のフローチャートにて管理装置３は、仮登録ＩＤを含む「アプリケーションダウンロード用画面」を送信する（ステップＳ９５）。アプリダウンロードのリンク中には、仮登録ＩＤがパラメータとして含まれている。
【０１２４】
そして、利用者によりアプリダウンロードがクリックされる（図１０（Ａ）：ステップＳ７３）と、管理装置３によりアプリダウンロードが開始される（図１０（Ｂ）：ステップＳ９６）。そして、携帯電話１には、ダウンロード中の表示がされ（図１０（Ａ）：ステップＳ７４）、管理装置３によりアプリ送信が終了しダウンロードが完了（図１０（Ｂ）：ステップＳ９７）すると、携帯電話１には、ダウンロード完了と表示がされる（図１０（Ａ）：ステップＳ７５）。
【０１２５】
そして、利用者により携帯電話１を操作してアプリが起動される（ステップＳ７６）と、アプリ初回起動時に、パラメータの仮登録ＩＤを取得する（ステップＳ７７）。次に、FeliCaカード内のＩＤが取得され（ステップＳ７８）、アプリから管理装置３にFeliCaカード内のＩＤと仮登録ＩＤが送信される（ステップＳ７９）。ここで、FeliCaカード内のＩＤは、FeliCa固有のＩＤが用いられてもよく、アプリケーションごとに固有のＩＤが用いられてもよい。
【０１２６】
そして、図１０（Ｂ）のフローチャートにて管理装置３にFeliCaＩＤと仮登録ＩＤが取得されると（ステップＳ９８）、登録完了処理が行われ（ステップＳ９９）、携帯電話１に対して登録完了を告げる「登録完了画面」をＷｅｂで表示する（ステップＳ１００）。
【０１２７】
そして、図１０（Ａ）のフローチャートにて携帯電話１にＷｅｂ表示が確認されると（ステップＳ８０）、携帯電話１の表示部１２に「登録完了画面」が表示がされることになる（ステップＳ８１）。このようにして、管理装置３に利用者の正しいメールアドレスとＩＣタグＩＤが所得され、登録されることになる。
【０１２８】
以上説明したように、管理装置に利用者のメールアドレスとＩＣタグＩＤを登録する方法について実施形態、変形形態について説明したが、このように本発明の情報登録システムを用いた場合には、利用者に、宛先情報と識別情報を登録する際の手入力の手間を解消させると共に、入力間違いを防止し、更に他人を騙った登録等の不正行為を防止し、管理者にメールアドレスとＩＣタグＩＤの両者の正しい情報を提供し、各々を対応付けて適式に登録することができる。
【図面の簡単な説明】
【０１２９】
【図１】本発明の情報登録システムを説明するための概略図である。
【図２】本発明の情報登録システムの概要構成を示すブロック図である。
【図３】本発明に用いるＩＣタグの平面図である。
【図４】本発明の情報登録システムにおける登録処理を示すフローチャートである。
【図５】実施形態における登録画面を示す図である。
【図６】本発明の情報登録システムにおける登録処理を示すフローチャートである。
【図７】実施形態における登録方法を示す図である。
【図８】実施形態における登録画面を示す図である。
【図９】実施形態における登録方法を示す図である。
【図１０】本発明の情報登録システムにおける登録処理を示すフローチャートである。
【符号の説明】
【０１３０】
Ｓ・・・情報登録システム
１・・・携帯電話
２・・・登録用端末装置
３・・・管理装置
Ｔ・・・ＩＣタグ
Ｒ・・・リーダ
Ｘ・・・ネットワーク
１１、２１、３１・・・入力部
１２、２２、３２・・・表示部
１３、２３、３３・・・記憶部
１４、２４、３４・・・通信部
１５、２５、３５・・・制御部
１７・・・ＩＣ部
１８・・・アンテナ部
【図１】
2006221250.tif 000003
【図２】
2006221250.tif 000004
【図３】
2006221250.tif 000005
【図４】
2006221250.tif 000006
【図５】
2006221250.tif 000007
【図６】
2006221250.tif 000008
【図７】
2006221250.tif 000009
【図８】
2006221250.tif 000010
【図９】
2006221250.tif 000011
【図１０】
2006221250.tif 000012